(57)【要約】【課題】地震による書籍等の収納棚からの落下を防ぐ滑り止め構造を提供する。【解決手段】表紙等に取り付けられる取り付け片１１から略直角方向に折れ曲がり本文Ｂ４部分の底面に位置させて書籍Ｂの重さを載置面に伝えて効果的に摩擦力を得る。書籍Ｂが上製本等により本文Ｂ４部分が表紙Ｂ２，Ｂ３と高低差があるときは嵩上げ層１４を設けた。【選択図】図１
2013189003.tif 000002
【特許請求の範囲】
【請求項１】
載置面上の物体の移動を摩擦力により防ぐ滑り止め構造において、
前記物体の底部付近に取り付けられる取り付け片と、
前記取り付け片に対して折り曲げ可能に連なり、前記物体の底部に重なる状態に配され、前記載置面と接触して摩擦力を生じさせる滑り止め片と、を有することを特徴とする滑り止め構造。
【請求項２】
前記物体は書籍であって、
前記取り付け片は、前記書籍の背表紙の下部に取り付けられ、
前記滑り止め片は、前記取り付け片の下端縁より略直角に折り曲げられて、前記書籍の本文の底面に重なる状態に配されることを特徴とする請求項１に記載の滑り止め構造。
【請求項３】
前記書籍が、表紙と本文との間に表紙下端より本文の底面が高い位置となる高低差がある上製本である場合に、
前記滑り止め片は、前記高低差に応じて厚さ方向に嵩上げする嵩上げ層を備えることを特徴とする請求項２に記載の滑り止め構造。
【請求項４】
前記書籍が、背表紙と書籍を綴じる側であるノドとの間に隙間が生じるホロウバック製本である場合に、
前記取り付け片は、前記背表紙の裏側に取り付けられることを特徴とする請求項２または３に記載の滑り止め構造。
【請求項５】
前記取り付け片は、表表紙または裏表紙の下部に取り付けられ、
前記滑り止め片は、前記取り付け片の下端縁より略直角に折り曲げられて、前記書籍の本文の底面に重なる状態に配されることを特徴とする請求項２または３に記載の滑り止め構造。
【請求項６】
前記物体は書籍であって、
前記取り付け片は、表表紙または裏表紙の外表面の下端に沿って取り付けられ、
前記滑り止め片は、前記取り付け片の下端縁より延び、前記表表紙または前記裏表紙の下端を回り込みつつ、前記外表面から内表面の下端に沿って折り返され、前記下端を回り込む部位が前記載置面と接触して摩擦力を生じさせることを特徴とする請求項１に記載の滑り止め構造。
【請求項７】
前記滑り止め片は、少なくとも前記回り込む部位において、前記表表紙または前記裏表紙の下端が書籍の背表紙の下端よりも高い位置となる高低差を埋めて最下位置とする嵩上げ層を備えることを特徴とする請求項６に記載の滑り止め構造。
【請求項８】
前記嵩上げ層は、前記回り込む部位において、書籍の奥行き方向における両端部を除く中央側に配されることを特徴とする請求項７に記載の滑り止め構造。
【請求項９】
前記嵩上げ層は、厚み方向に伸縮自在な弾性材から成ることを特徴とする請求項７または８に記載の滑り止め構造。
【請求項１０】
前記取り付け片は、前記書籍下部に取り付けられ、
前記滑り止め片は、前記取り付け片の下端縁より略直角に折り曲げられて、前記書籍の本文または表表紙もしくは裏表紙の底面に重なる状態に配されることを特徴とする請求項２または３に記載の滑り止め構造。
【請求項１１】
前記取り付け片は、前記書籍下部における厚さ方向の両側に一対取り付けられ、
前記滑り止め片は、前記各取り付け片の下端縁より略直角にそれぞれ折り曲げられて、前記書籍の本文または表表紙もしくは裏表紙の底面に重なる状態に配されることを特徴とする請求項２または３に記載の滑り止め構造
【請求項１２】
前記取り付け片は透明であることを特徴とする請求項１，２，３，４，５，６，７，８，９，１０または１１に記載の滑り止め構造。
【請求項１３】
前記取り付け片は、前記物体に対して着脱自在に取り付けられる粘着層を備え、
前記滑り止め片は、前記載置面と接触して摩擦力を生じさせる高摩擦係数層を備えることを特徴とする請求項１，２，３，４，５，６，７，８，９，１０，１１または１２に記載の滑り止め構造。
【発明の詳細な説明】
【技術分野】
【０００１】
本発明は、載置面上の物体の移動を摩擦力により防ぐ滑り止め構造に関する。
【背景技術】
【０００２】
従来、地震の揺れによる物の落下を防ぐことに関する様々な技術が開発され、工夫がなされてきた。例えば、書棚における書籍等の物体の落下を防ぐ技術としては、書棚の手前側に棒状のストッパーを設けるものや棚に傾斜を設けるものが既に知られている。しかしながら、これらの技術では、書棚そのものを変更する必要があり現在ある書棚にそれを施すことはできないか、もしくは大変困難である。
【０００３】
かかる問題を対処し得る従来の手段として、例えば、特許文献１に開示されているように、棚板等の一部に高摩擦材シートを敷く方法がすでに提案されている。これは棚板上の手前側に相対的に摩擦力の高いシートを位置させて、揺れの際に手前側への書籍の移動を防ぐことにより、書籍の落下を防止するものである。
【先行技術文献】
【特許文献】
【０００４】
【特許文献１】特開２００３−０７９４６１号公報
【発明の概要】
【発明が解決しようとする課題】
【０００５】
しかしながら、前述した特許文献１に記載された従来の技術では、書籍の落下を防ぐためには書棚全体の広範囲に亘ってシートを敷かなければならず、また、本の形状やサイズが考慮されておらず、本とシートの接触する部分を考慮すると、本との適切な摩擦力を得るための必要なシートの大きさはますます大きなものとならざるを得ないものであった。
【０００６】
このような従来のシートに関する問題点に鑑みて、本件発明者らは、既に特願２０１２−３３３０３号により、滑り止め片を物体の底部に重なる状態にして載置面と接触させて摩擦力を有効に生じさせたことにより、地震等の際に物体の移動を最小化できる滑り止め構造を提案している。ところが、より長期の使用に対しても耐久性が高く、堅牢で簡易な構造で安価に製造することができるようなものも望まれていた。
【０００７】
本発明は、このような従来の技術が有する問題点に着目してなされたもので、書籍等の物体の重量を本の形状に合わせて適切に載置面に伝えることにより適切な摩擦力を小さな構造により生じさせて物体の移動を抑制して、その落下を防ぎ、または遅らせることにより、地震の際に避難空間、経路、時間を確保することを実現することができ、しかも、より簡易な構造で安価に製造することができる滑り止め構造を提供することを目的としている。
【課題を解決するための手段】
【０００８】
前述した目的を達成するための本発明の要旨とするところは、以下の各項の発明に存する。
［１］載置面上の物体（Ｂ）の移動を摩擦力により防ぐ滑り止め構造において、
前記物体（Ｂ）の底部付近に取り付けられる取り付け片（１１）と、
前記取り付け片（１１）に対して折り曲げ可能に連なり、前記物体（Ｂ）の底部に重なる状態に配され、前記載置面と接触して摩擦力を生じさせる滑り止め片（１２）と、を有することを特徴とする滑り止め構造（１０）。
【０００９】
［２］前記物体（Ｂ）は書籍であって、
前記取り付け片（１１）は、前記書籍（Ｂ）の背表紙（Ｂ１）の下部に取り付けられ、
前記滑り止め片（１２）は、前記取り付け片（１１）の下端縁より略直角に折り曲げられて、前記書籍（Ｂ）の本文（Ｂ４）の底面に重なる状態に配されることを特徴とする［１］に記載の滑り止め構造（１０）。
【００１０】
［３］前記書籍（Ｂ）が、表紙（Ｂ２，Ｂ３）と本文（Ｂ４）との間に表紙（Ｂ２，Ｂ３）下端より本文（Ｂ４）の底面が高い位置となる高低差（Ｔ）がある上製本である場合に、
前記滑り止め片（１２）は、前記高低差（Ｔ）に応じて厚さ方向に嵩上げする嵩上げ層（１４）を備えることを特徴とする［２］に記載の滑り止め構造（１０）。
【００１１】
［４］前記書籍（Ｂ）が、背表紙（Ｂ１）と書籍（Ｂ）を綴じる側であるノド（Ｂ５）との間に隙間が生じるホロウバック製本である場合に、
前記取り付け片（１１）は、前記背表紙（Ｂ１）の裏側に取り付けられることを特徴とする［２］または［３］に記載の滑り止め構造（１０）。
【００１２】
［５］前記取り付け片（１１）は、表表紙（Ｂ２）または裏表紙（Ｂ３）の下部に取り付けられ、
前記滑り止め片（１２）は、前記取り付け片（１１）の下端縁より略直角に折り曲げられて、前記書籍（Ｂ）の本文（Ｂ４）の底面に重なる状態に配されることを特徴とする［２］または［３］に記載の滑り止め構造（１０）。
【００１３】
［６］前記物体（Ｂ）は書籍であって、
前記取り付け片（１１）は、表表紙（Ｂ２）または裏表紙（Ｂ３）の外表面の下端に沿って取り付けられ、
前記滑り止め片（１２）は、前記取り付け片（１１）の下端縁より延び、前記表表紙（Ｂ２）または前記裏表紙（Ｂ３）の下端を回り込みつつ、前記外表面から内表面の下端に沿って折り返され、前記下端を回り込む部位（１２ａ）が前記載置面と接触して摩擦力を生じさせることを特徴とする［１］に記載の滑り止め構造（１０Ａ）。
【００１４】
［７］前記滑り止め片（１２）は、少なくとも前記回り込む部位（１２ａ）において、前記表表紙（Ｂ２）または前記裏表紙（Ｂ３）の下端が書籍の背表紙（Ｂ１）の下端よりも高い位置となる高低差を埋めて最下位置とする嵩上げ層（１４）を備えることを特徴とする［６］に記載の滑り止め構造（１０Ａ）。
【００１５】
［８］前記嵩上げ層（１４）は、前記回り込む部位（１２ａ）において、書籍（Ｂ）の奥行き方向における両端部（１２ｂ）を除く中央側に配されることを特徴とする［７］に記載の滑り止め構造（１０Ａ）。
【００１６】
［９］前記嵩上げ層（１４）は、厚み方向に伸縮自在な弾性材から成ることを特徴とする［７］または［８］に記載の滑り止め構造（１０Ａ）。
【００１７】
［１０］前記取り付け片（１１）は、前記書籍（Ｂ）下部に取り付けられ、
前記滑り止め片（１２）は、前記取り付け片（１１）の下端縁より略直角に折り曲げられて、前記書籍（Ｂ）の本文（Ｂ４）または表表紙（Ｂ２）もしくは裏表紙（Ｂ３）の底面に重なる状態に配されることを特徴とする［２］または［３］に記載の滑り止め構造（１０Ｃ）。
【００１８】
［１１］前記取り付け片（１１）は、前記書籍（Ｂ）下部における厚さ方向の両側に一対取り付けられ、
前記滑り止め片（１２）は、前記各取り付け片（１１）の下端縁より略直角にそれぞれ折り曲げられて、前記書籍の本文（Ｂ４）または表表紙（Ｂ２）もしくは裏表紙（Ｂ３）の底面に重なる状態に配されることを特徴とする［２］または［３］に記載の滑り止め構造（１０Ｂ）。
【００１９】
［１２］前記取り付け片（１１）は透明であることを特徴とする［１］，［２］，［３］，［４］，［５］，［６］，［７］，［８］，［９］，［１０］または［１１］に記載の滑り止め構造（１０，１０Ａ，１０Ｂ，１０Ｃ）。
【００２０】
［１３］前記取り付け片（１１）は、前記物体（Ｂ）に対して着脱自在に取り付けられる粘着層を備え、
前記滑り止め片（１２）は、前記載置面と接触して摩擦力を生じさせる高摩擦係数層（１３）を備えることを特徴とする［１］，［２］，［３］，［４］，［５］，［６］，［７］，［８］，［９］，［１０］，［１１］または［１２］に記載の滑り止め構造（１０，１０Ａ，１０Ｂ，１０Ｃ）。
【００２１】
次に、前述した解決手段に基づく作用を説明する。
前記［１］に記載の滑り止め構造（１０）によれば、物体（Ｂ）の底部付近に取り付け片（１１）が取り付けられており、それに連なる滑り止め片（１２）が物体（Ｂ）の底部に重なる状態に配されて載置面と接触するので、摩擦力を有効に生じさせて載置面上での物体（Ｂ）の移動を防ぐことができる。また、取り付け片（１１）と滑り止め片（１２）は折り曲げ可能に連なっており、物体（Ｂ）の適切な箇所に物体（Ｂ）の用途を阻害することなく、取り付けることができる。
【００２２】
前記［２］に記載の滑り止め構造（１０）によれば、滑り止めの対象とする物体（Ｂ）は書籍であり、取り付け片（１１）は書籍（Ｂ）の背表紙（Ｂ１）の下部に取り付けられて、取り付け片（１１）に連なって滑り止め片（１２）は、取り付け片（１１）の下端縁より略直角に曲げられて、書籍（Ｂ）の本文（Ｂ４）の底面に重なる状態に配される。これにより、滑り止め片（１２）は書籍（Ｂ）の重量を受け止めて載置面との間に適切な摩擦力を生じさせて、書籍（Ｂ）の移動を防ぐことができる。また、書籍（Ｂ）の背表紙（Ｂ１）に取り付けることができるので、書籍（Ｂ）を開くのを阻害することなく使用することができる。
【００２３】
前記［３］に記載の滑り止め構造（１０）によれば、書籍（Ｂ）は本文（Ｂ４）の底面は表紙（Ｂ２，Ｂ３）の下端よりも高い位置にある上製本であり、滑り止め片（１２）は本文（Ｂ４）の底面と表紙（Ｂ２，Ｂ３）の下端の高低差（Ｔ）に応じて嵩上げ層（１４）を備えており、これにより書籍（Ｂ）が上製本であっても適切にその重量を滑り止め片（１２）に伝えて摩擦力を生じさせ、書籍（Ｂ）の移動を防ぐことができる。
【００２４】
前記［４］に記載の滑り止め構造（１０）によれば、書籍（Ｂ）は背表紙（Ｂ１）と書籍（Ｂ）を綴じる側であるノド（Ｂ５）との間に隙間が生じるホロウバック製本であり、この場合、取り付け片（１１）は、背表紙（Ｂ１）の下端裏側に取り付けられる。取り付け片（１１）は書籍（Ｂ）が収納されている状態では外から見えなくすることが可能となり美観上優れる。
【００２５】
前記［５］に記載の滑り止め構造（１０）によれば、取り付け片（１１）は表表紙（Ｂ２）または裏表紙（Ｂ３）の下部に取り付けられる。製本の種類を問わず取り付け片（１１）を取り付けることができ、また、収納時には外から見えなくすることが可能となり美観上優れている。
【００２６】
前記［６］に記載の滑り止め構造（１０Ａ）によれば、取り付け片（１１）は、書籍（Ｂ）の表表紙（Ｂ２）もしくは裏表紙（Ｂ３）の外表面の下端に沿って取り付けられ、滑り止め片（１２）は、該取り付け片（１１）の下端縁より延出し、表紙（Ｂ２，Ｂ３）の形状に沿って該表紙（Ｂ２，Ｂ３）の下端の一部を覆いつつ、外表面から内表面の下端に沿って折り返されて成る。これにより、下端を回り込む部位（１２ａ）が載置面と接触し、摩擦力を有効に生じさせて載置面上での書籍（Ｂ）の移動を防ぐことができる。
【００２７】
前記［７］に記載の滑り止め構造（１０Ａ）によれば、表紙（Ｂ２，Ｂ３）の下端に沿って取り付けられた取り付け片（１１）より延出し、表紙（Ｂ２，Ｂ３）の下端を回り込むように取り付けられた滑り止め片（１２）の下端を回り込む部位（１２ａ）の内側には、嵩上げ層（１４）を有している。これにより、下端を回り込む部位（１２ａ）は書籍（Ｂ）の最下端より下方に突出して、書籍（Ｂ）の荷重を適切に受け止めることができる。
【００２８】
前記［８］に記載の滑り止め構造（１０Ａ）によれば、嵩上げ層（１４）は、表紙（Ｂ２，Ｂ３）の下端に位置する滑り止め片（１２）の下端を回り込む部位（１２ａ）の、書籍（Ｂ）の奥行き方向における略中央に位置している。これにより、中央のみ嵩上げ層（１４）を有することとなり、両端部（１２ｂ）は嵩上げ層（１４）の厚みに対応した分だけなだらかに傾斜もしくは段差を形成する。書籍（Ｂ）の荷重を適切に受け止めて摩擦力を有効に生じさせて載置面上での書籍（Ｂ）の移動を防ぎ、また、本棚から出し入れによる接触、摩擦による劣化を防ぐことができる。
【００２９】
前記［９］に記載の滑り止め構造（１０Ａ）によれば、嵩上げ層（１４）は、厚み方向に伸縮自在な弾性材によって成ることにより、滑り止め片（１２）と載置面との間に最適に摩擦力を生じさせることができ、また、書籍（Ｂ）への凹みや傷等の劣化を防止することができる。
【００３０】
前記［１０］に記載の滑り止め構造（１０Ｃ）によれば、滑り止め片（１２）は、書籍（Ｂ）下部に取り付けられた取り付け片（１１）の下端縁より略直角に折り曲げられて、書籍（Ｂ）本文（Ｂ４）または表表紙（Ｂ２）もしくは裏表紙（Ｂ３）の底面に重なる状態に配される。これにより、書籍（Ｂ）の荷重を受け止め摩擦力を生じさせて書籍（Ｂ）の移動を防ぐことができる。
【００３１】
前記［１１］に記載の滑り止め構造（１０Ｂ）によれば、取り付け片（１１）および取り付け片（１１）に連なる滑り止め片（１２）は、書籍（Ｂ）下部における厚さ方向の両側に一対取り付けられる。これにより、書籍（Ｂ）の荷重を受け止め摩擦力を生じさせて書籍（Ｂ）の移動を防ぐことができる。
【００３２】
前記［１２］に記載の滑り止め構造（１０，１０Ａ，１０Ｂ，１０Ｃ）によれば、取り付け片（１１）は透明素材で作られており、取り付け片（１１）を背表紙（Ｂ１）や表紙（Ｂ２，Ｂ３）の下部に取り付けても目立つことが無く美観上に優れている。
【００３３】
前記［１３］に記載の滑り止め構造（１０，１０Ａ，１０Ｂ，１０Ｃ）によれば、取り付け片（１１）は物体（Ｂ）に対して着脱自在に取り付けられる粘着層を備えている。これにより、不要なときは取り外しまた必要に応じて付け直すなど、用途、利便に応じた様々な使い方をすることができる。また、高摩擦係数層（１３）を備えているのでより効率よく載置面に対して摩擦力を得ることが可能となる。効率よく摩擦力を得ることができるので滑り止め構造（１０，１０Ａ，１０Ｂ，１０Ｃ）の小型化をすることができる。
【発明の効果】
【００３４】
本発明に係る滑り止め構造によれば、書籍等の物体の重量を適切に滑り止め片に伝え摩擦力を生じさせるので、物体の移動を防ぐかまたは最小化することができる。また、それにより書棚等からの物体の落下を防ぎまたは遅らせて避難空間や時間を確保することができる。さらに、取り付け作業も容易であり、通常の書籍の使用に支障を来すことが無く、簡易な材料により製造されるのでコストも低廉なものとなる。
【図面の簡単な説明】
【００３５】
【図１】本発明の第１の実施の形態に係る滑り止め構造（Ａ）と滑り止め構造を上製本による書籍に取り付けた状態（Ｂ）を示す斜視図である。
【図２】本発明の第１の実施の形態に係る滑り止め構造（Ａ）と滑り止め構造を並製本による書籍に取り付けた状態（Ｂ）を示す斜視図である。
【図３】本発明の第１の実施の形態に係る滑り止め構造を上製本による書籍に取り付けた状態を示す拡大斜視図である。
【図４】本発明の第１の実施の形態に係る滑り止め構造を上下方向から見た斜視図である。
【図５】本発明の第２の実施の形態に係る滑り止め構造（Ａ）と滑り止め構造をホロウバック製本による書籍に取り付けた状態（Ｂ）を示す斜視図である。
【図６】本発明の第２の実施の形態に係る滑り止め構造をホロウバック製本による書籍に取り付けた状態を示す部分拡大斜視図である。
【図７】本発明の第２の実施の形態に係る滑り止め構造をホロウバック製本による書籍に取り付けて書籍を開いた状態を示す説明図である。
【図８】本発明の第３の実施の形態に係る滑り止め構造（Ａ）と滑り止め構造を上製本による書籍に取り付けた状態（Ｂ）を示す斜視図である。
【図９】本発明の第３の実施の形態に係る滑り止め構造（Ａ）と滑り止め構造を並製本による書籍に取り付けた状態（Ｂ）を示す斜視図である。
【図１０】本発明の第４の実施の形態に係る滑り止め構造を上製本による書籍に取り付けた状態を示す斜視図である。
【図１１】本発明の第４の実施の形態に係る滑り止め構造を表側から見た（Ａ）状態、裏側から見た（Ｂ）状態を示す斜視図である。
【図１２】本発明の第４の実施の形態に係る滑り止め構造を書籍に取り付けた状態を示す正面図である。
【図１３】本発明の第５の実施の形態に係る滑り止め構造を並製本による書籍に取り付けた状態を示す斜視図である。
【図１４】本発明の第５の実施の形態に係る滑り止め構造を表側から見た（Ａ）状態、裏側から見た（Ｂ）状態を示す斜視図である。
【図１５】本発明の第５の実施の形態に係る滑り止め構造を本文の一頁に取り付ける様子を示す説明図である。
【図１６】本発明の第６の実施の形態に係る滑り止め構造を上製本による書籍に取り付けた状態を示す斜視図である。
【図１７】本発明の第６の実施の形態に係る滑り止め構造を表側から見た状態を示す斜視図である。
【図１８】本発明の第６の実施の形態に係る滑り止め構造を並製本による書籍に取り付けた状態を示す斜視図である。
【図１９】本発明の第６の実施の形態に係る滑り止め構造の別の例を示す斜視図である。
【発明を実施するための形態】
【００３６】
以下、図面に基づき本発明を代表する各種実施の形態を説明する。  
図１から図４は本発明の第１の実施の形態を示している。
第１の実施の形態に係る滑り止め構造１０は、取り付け片１１によって書籍Ｂの表表紙Ｂ２または裏表紙Ｂ３の下部の裏側に取り付けられる。また、取り付け片１１より連続し略直角に折れ曲がって連なる滑り止め片１２を備え、書籍Ｂの重量を書棚等の載置面に伝える。
【００３７】
書籍Ｂが上製本の場合、本文Ｂ４を傷めるのを防ぐために表紙が大きくなっているのが通常であり、図３、４に示すように、本文Ｂ４と表紙Ｂ２，Ｂ３の下端の高さが異なり本文Ｂ４のほうが高低差Ｔの分だけ高くなっている。そのため、本発明の実施の形態に係る滑り止め構造１０は、高低差Ｔの分だけの厚みを有する嵩上げ層１４を備えている。
【００３８】
図２に示すように、書籍Ｂが並製本である場合は嵩上げ層１４を有さない滑り止め構造１０で事足り、何れの場合であっても、実験により地震の振動による書籍Ｂの移動を防ぐことが発明者らにより確認されている。
【００３９】
滑り止め片１２は、直方体形状であり、大きさは書籍Ｂの重量、大きさにより１ｃｍ×１．５ｃｍ程度から１．５ｃｍ×３ｃｍ程度のものである。本発明の実施の形態の滑り止め構造１０によれば、本文Ｂ４の幅の中央に滑り止め片１２を位置させることができるので、従来の技術による表表紙Ｂ２や裏表紙Ｂ３の下端の細い部分のみによる摩擦力を利用したものに比して効率よく書籍Ｂの重量を載置面に伝え摩擦力を生じさせることができる。
【００４０】
上製本用に嵩上げ層１４を有する場合、嵩上げ層１４には１ｋｇ以上の荷重がかかることもあるので、ある程度の剛性を有する弾性素材を使用するとよい。一方、書籍Ｂの荷重の反力により滑り止め片１２と本文Ｂ４部分の接触面（地小口接地面１５）は長期に亘って力を受け続ける。そのため、地小口接地面１５を（図示しないが）ある程度の厚さをもって弾力性を有する素材を使用してもよい。
【００４１】
また、嵩上げ層１４を有する滑り止め片１２の形状は、図面上においては通常の直方体形状としたが、これに限られず、円柱状、球状としてもよい。また、本文Ｂ４に食い込む等の傷にならないように直角部分等の面取りをしてもよい。また、特に本文Ｂ４部分と接触し荷重がかかる地小口接地面１５の小口側の部分（背表紙Ｂ１とは反対側）のみを面取りするなどして、本文Ｂ４への食い込みを防ぐなどしてもよい。
【００４２】
さらに、嵩上げ層１４の厚みについて詳しく述べると、この厚みは書籍Ｂに取り付けてその荷重を受けて圧縮された後の厚みが高低差Ｔ以上あり、書籍Ｂは長期に亘って保存される場合が多いので、その経年変化による圧縮にも耐えられる厚みである。揺れの衝撃による圧縮も考慮しより厚いものであってもよい。滑り止め片１２において書棚等の載置面との接触する部分に設けられる高摩擦係数層１３は、ゴム等の摩擦係数の高い材質をそのまま用いて形成するとよい。
【００４３】
取り付け片１１から滑り止め片１２に連続して連なる部分は、紙等の可撓性を有する素材を使用して何れの箇所でも折れるようにして、滑り止め片１２を本文Ｂ４の中央に位置させるようにできるとよい。また、合成樹脂等により製造し、あらかじめ略直角方向に折れ曲っているものとしてもよい。
【００４４】
第１の実施の形態による滑り止め構造１０によれば、図３に示すように取り付け片１１は表表紙Ｂ２もしくは裏表紙Ｂ３の下部の裏側に取り付けられ、取り付け片１１より略直角に連なり本文Ｂ４の底面の略中央に位置させた滑り止め片１２において、書籍Ｂの重量を受け止めて適切な摩擦力を載置面との間に得ることができる。また、表紙の裏側に取り付けられるため、書籍Ｂが書棚に載置されているときは、その存在が外から発見されにくく、美観上も優れている。
【００４５】
本実施の形態による滑り止め構造１０は、材料・構造においていずれもありふれたものを使用し、簡便であるので低コストで製造することが可能である。また、書籍１冊ごとに取り付けられるため、その状況、用途によって使い分けることができる。例えば、避難経路に位置する書籍で、高い位置にあり、重量の重いものに使用するなどである。
【００４６】
図５〜図７は、第２の実施の形態を示している。
図５は滑り止め構造と滑り止め構造をホロウバック製本による書籍に取り付けた状態を示す斜視図であり、図６は本発明の滑り止め構造を含む図５（Ｂ）の下部を拡大した拡大斜視図であり、図７はホロウバック製本による書籍を開いて滑り止め構造１０を取り付けたもので、隙間が開いている状態を示している。第２の実施の形態に係る滑り止め構造１０は、基本的構成について多くの部分で第１の実施の形態の滑り止め構造１０と共通するので、第１の実施の形態と同種の部位については同一符号を付して重複した説明は省略する。
【００４７】
図６に示すように、本文Ｂ４の底面に重なるように滑り止め片１２を位置させる点において、第１の実施の形態の滑り止め構造１０と共通する一方、取り付け片１１を背表紙Ｂ１の裏側に取り付ける点において相違する。ここでホロウバック製本とは、図７に示すように、書籍Ｂを開いたときに背表紙Ｂ１と書籍Ｂの本文Ｂ４を綴じている部分であるノドＢ５との間に隙間が開いている製本の方法（種類）のことである。このタイプの製本の場合、第１の実施の形態における滑り止め構造１０と同様に、表表紙Ｂ２または裏表紙Ｂ３に取り付け片１１を取り付けることも可能であるが、開いたときに隙間が開くことを利用して背表紙Ｂ１の下端裏側部分に取り付け片１１を取り付けたものである。
【００４８】
第２の実施の形態による滑り止め構造１０によれば、背表紙Ｂ１の裏側に取り付け片１１が取り付けられるので、書籍Ｂを収納している状態では外からは見ることができないので美観上優れている。また、書籍Ｂが閉じられた状態では、取り付け片１１は背表紙Ｂ１と本文Ｂ４のノドＢ５部分に挟まれた状態となるので、取り付け片１１が外れることがない。
【００４９】
さらに、滑り止め構造１０を取り付けた書籍Ｂを書棚から取り出すときには、小口側から背表紙Ｂ１側方向に移動し、滑り止め構造１０は取り付け片１１側から滑り止め片１２方向に引っ張られることになるので、背表紙Ｂ１の裏側に取り付け片１１を位置させることは強度、耐久性の面でも優れたものとなる。
【００５０】
図８、図９は、第３の実施の形態を示している。
図８は第３の実施の形態に係る滑り止め構造１０と該滑り止め構造１０を上製本による書籍に取り付けた状態を示し、図９は第３の実施の形態に係る滑り止め構造１０と該滑り止め構造１０を並製本による書籍に取り付けた状態を示す斜視図である。第３の実施の形態に係る滑り止め構造１０は、基本的構成について多くの部分で前述した第１の実施の形態の滑り止め構造１０と共通するので、前述した第１の実施の形態と同種の部位については同一符号を付して重複した説明は省略する。
【００５１】
図８、図９に示すように、本文Ｂ４の底面に重なるように滑り止め片１２を位置させる点において前述した第１、第２の実施の形態の滑り止め構造１０と共通する一方、取り付け片１１を背表紙Ｂ１の表側に取り付ける点において相違する。また、第１の実施の形態における滑り止め構造１０と同様に、図８に示すように、上製本による書籍Ｂに使用されるものにあっては、図３に示したものと同様に表紙Ｂ２，Ｂ３と本文Ｂ４の高低差Ｔを埋めるための嵩上げ層１４を有するものであり、図９に示すように、並製本に使用されるものは嵩上げ層１４を有しない。さらに、背表紙Ｂ１の表側に取り付けて背表紙Ｂ１の下端で略直角に折れ曲がり小口方向に連続して滑り止め片１２に連なるので、嵩上げ層１４は前述した第１、第２の実施の形態の滑り止め構造１０とは反対側に取り付けられる。
【００５２】
また、第３の実施の形態に係る滑り止め構造１０における取り付け片１１は背表紙Ｂ１の表側に取り付けられるので、書籍Ｂを収納した際に視認できるものとなる。あえて視認できるものとしてこの部分に色や装飾を施して整理の助けなどするものとしてもよいし、透明にして外から視認し難いものとしてもよい。
【００５３】
図１０から図１２は、第４の実施の形態を示している。
図１０に示すように、第４の実施の形態に係る滑り止め構造１０Ａは、書籍Ｂの表紙Ｂ２，Ｂ３の下端の背表紙Ｂ１の近傍に取り付けられる。取り付け片１１および滑り止め片１２はいずれも糊等による貼着可能な処理を予め施されており、取り付け片１１が書籍Ｂの表表紙Ｂ２もしくは裏表紙Ｂ３の外表面の下端に沿って貼着される。滑り止め片１２は、その外表面が滑り止め加工されるとともに、該取り付け片１１の下端縁より延出し、表紙Ｂ２，Ｂ３の形状に沿って該表紙Ｂ２，Ｂ３の下端の一部を覆いつつ、外表面から内表面の下端に沿って折り返されて成る。
【００５４】
なお、滑り止め片１２にはポリプロピレン等の樹脂材を厚さ０．７ｍｍほどの板状に加工し、表面を凹凸に加工したものを使用すると振動による移動を最小にできることが発明者らによる試験によって確かめられている。また、図１０においては滑り止め片１２の上から覆うように取り付け片１１が貼着されている様子が描かれているが、滑り止め片１２を取り付け片１１より連続し、一体のものとして構成し、表紙Ｂ２，Ｂ３の下端に重なる部分のみを滑り止め構造を有するものとしてもよい。
【００５５】
書籍Ｂの下端は一般にフラットである場合が多いが、上製本等の書籍においては背表紙Ｂ１の下端Ｂ６が表紙Ｂ２，Ｂ３の下端（図１２における表紙等の下端の延長線Ｌ）より下方に突出している場合や、補強等のために表紙Ｂ２，Ｂ３の一部が下方に凸状を形成している場合がある。そのため、第４の実施の形態にかかる滑り止め構造１０Ａにおける滑り止め片１２の表紙Ｂ２，Ｂ３の下端を回り込む部位１２ａの内側には嵩上げ層１４を備えている。
【００５６】
嵩上げ層１４は、滑り止め片１２における書籍Ｂの奥行き方向の略中央に位置させており、回り込む部位１２ａの両端部１２ｂを除く中央の内部にのみ嵩上げ層１４を有する。これにより、滑り止め片１２の回り込む部位１２ａには、中央の嵩上げされたフラット部分、両端に向けて傾斜する部分が形成される。また、嵩上げ層１４の材質としては、発泡ポリエチレンをシート状に細かく裁断したものが、廉価で長期の使用にも耐久性の高いことが発明者らによる試験により確かめられた。
【００５７】
中央の嵩上げされたフラット部分においては、相対的に下方に突出して書籍Ｂの荷重の一部を受け止めて載置面との間に適切に摩擦力を生じさせるとともに、両端に向けた傾斜する部分は、書籍Ｂの通常の出し入れ等の使用による摩擦や本棚等との衝突による劣化を最小限にして耐久性を向上させることとなる。
【００５８】
図１３〜図１５は第５の実施の形態を示している。
図１３、図１４に示すように、第５の実施の形態に係る滑り止め構造１０Ｂは、表紙Ｂ２，Ｂ３もしくは本文の一頁に書籍Ｂの厚さ方向の両側に一対取り付けられて成り、取り付け片１１および滑り止め片１２は一体連続の構造とし、全体に亘って滑り止め加工がなされている。前述した第４の実施の形態と同様に、滑り止め加工された側とは反対の裏側には糊付け加工が施されており、書籍Ｂに取り付け可能となっている。
【００５９】
また、書籍Ｂの奥行き方向の略中央には帯状の嵩上げ層１４を備えている。これにより、滑り止め片１２は書籍Ｂの下端の凹凸を乗り越えて確実に下方に突出させて、書籍Ｂの荷重の一部を受けて有効に摩擦力を生じさせることができる。さらに、書籍Ｂの厚さ方向の両側に一対滑り止め構造１０Ｂを設けたことにより、バランスよく書籍Ｂの荷重を受け止めて摩擦力を生じさせることができる。
【００６０】
加えて、第５の実施の形態に係る滑り止め構造１０Ｂは、ブックエンドの横滑りを防止する用途にも使用することができる。取り付け片１１をブックエンドの底面等に貼着し、滑り止め片１２をブックエンドの底面に位置させることにより、ブックエンドおよび書架されている書籍等の重量を受け止めて、適切に摩擦力を生じさせることができる。
【００６１】
図１６〜図１９は第６の実施の形態を示している。
図１６、図１７に示すように、第６の実施の形態に係る滑り止め構造１０Ｃは、書籍Ｂ
の下部に取り付けられて、滑り止め片１２は、取り付け片１１の下端縁より略直角に折り曲げられて、書籍Ｂの本文Ｂ４または表表紙Ｂ２もしくは裏表紙Ｂ３の底面に重なる状態に配される。ここで、折り曲げられる滑り止め片１２の長さは任意の長さではあるが、書籍Ｂの重量を受け止めて所定の摩擦力を保持できる長さであって、ほぼ通常の上製本の表紙Ｂ２，Ｂ３の厚さに対応している。また、図１６、図１８に示すように、第６の実施の形態に係る滑り止め構造１０Ｃによれば、上製本、並製本を問わず取り付けることができる。
【００６２】
さらに、図１９に示すように、全体を硬質の樹脂等の材料により構成し、表紙Ｂ２，Ｂ３に接する側に糊等による貼着可能な処理を施して取り付け片１１とし、下端縁より略直角に所定の長さを折り曲げて表紙Ｂ２，Ｂ３の下端に滑り止め処理を施した滑り止め片１２を位置させるものとしてもよい。
【００６３】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、取り付け片１１が２方向（表表紙、裏表紙）、３方向（表表紙、裏表紙、背表紙）にあるものであってもよい。この場合、書籍を開いた場合、取り付け片１１から延長する部分を畳み込んで、本文Ｂ４の底面に滑り止め片１２を位置させるものとしてもよい。
【００６４】
また、嵩上げ層１４の形状は第４の実施の形態においては棒状のものとして記載したが、台形形状とし、より傾斜面にフィットするように構成してもよい。さらに、前述した説明において、第５の実施の形態における滑り止め構造１０Ｂのみを書籍Ｂの厚さ方向における両側に取り付けるものとして説明したが、その他の滑り止め構造１０，１０Ａ，１０Ｃを両側に取り付けてもよく、特に滑り止め構造１０Ａを表表紙Ｂ２および裏表紙Ｂ３に取り付けたものは、その滑り止め効果は非常に高いものとなる。
【産業上の利用可能性】
【００６５】
本発明に係る滑り止め構造は、書籍などを棚に架する用途全般に適用することができる。
【符号の説明】
【００６６】
Ｂ…書籍
Ｂ１…背表紙
Ｂ２…表表紙
Ｂ３…裏表紙
Ｂ４…本文
Ｂ５…ノド
Ｂ６…背表紙の下端
Ｌ…書籍の下端の延長線
Ｔ…高低差
１０…滑り止め構造
１０Ａ…滑り止め構造
１０Ｂ…滑り止め構造
１０Ｃ…滑り止め構造
１１…取り付け片
１２…滑り止め片
１３…高摩擦係数層
１４…嵩上げ層
１５…地小口接地面
【図１】
2013189003.tif 000003
【図２】
2013189003.tif 000004
【図３】
2013189003.tif 000005
【図４】
2013189003.tif 000006
【図５】
2013189003.tif 000007
【図６】
2013189003.tif 000008
【図７】
2013189003.tif 000009
【図８】
2013189003.tif 000010
【図９】
2013189003.tif 000011
【図１０】
2013189003.tif 000012
【図１１】
2013189003.tif 000013
【図１２】
2013189003.tif 000014
【図１３】
2013189003.tif 000015
【図１４】
2013189003.tif 000016
【図１５】
2013189003.tif 000017
【図１６】
2013189003.tif 000018
【図１７】
2013189003.tif 000019
【図１８】
2013189003.tif 000020
【図１９】
2013189003.tif 000021